(57)【要約】【課題】使い捨てマスクや布マスクを複数回使用しても、衛生マスク１０内を清潔に保つことができるマスクインナーシート１００を提供することを目的とする。【解決手段】衛生マスク１０の内側に配置されて用いられるマスクインナーシート１００であって、前記マスクインナーシート１００の主要部分を構成する本体部３０と、前記衛生マスク１０に設けられている耳掛け部２０を挿通可能な切り込み部４０とを備え、前記切り込み部４０は、前記本体部３０の両端付近に設けられていることを特徴とする。【選択図】図１
0003227411.tif 000002
【実用新案登録請求の範囲】
【請求項１】
衛生マスクの内側に配置されて用いられるマスクインナーシートであって、
前記マスクインナーシートの主要部分を構成する本体部と、
前記衛生マスクに設けられている耳掛け部を挿通可能な切り込み部とを備え、
前記切り込み部は、前記本体部の両端付近に設けられていることを特徴とするマスクインナーシート。
【請求項２】
前記マスクインナーシートの長手側の長さは、前記衛生マスクの長手側の長さより長いことを特徴とする請求項１に記載のマスクインナーシート。
【請求項３】
前記マスクインナーシートの大きさは、前記衛生マスクの大きさよりも大きいことを特徴とする請求項１又は２に記載のマスクインナーシート。
【請求項４】
前記切り込み部は、前記マスクインナーシートの短手と平行に設けられていることを特徴とする請求項１〜３のいずれか１項に記載のマスクインナーシート。
【請求項５】
前記切り込み部は、前記マスクインナーシートの長手と平行に設けられていることを特徴とする請求項１〜３のいずれか１項に記載のマスクインナーシート。
【請求項６】
前記マスクインナーシートの長手と平行に、折り目によって形成されるプリーツが設けられていることを特徴とする請求項１〜５のいずれか１項に記載のマスクインナーシート。
【請求項７】
前記長手側の辺又は前記切り込み部にボックスプリーツが設けられていることを特徴とする請求項１〜６のいずれか１項に記載のマスクインナーシート。
【請求項８】
前記切り込み部は、３以上設けられていることを特徴とする請求項１〜７のいずれか１項に記載のマスクインナーシート。
【考案の詳細な説明】
【技術分野】
【０００１】
本考案は、衛生マスクの内側に配置されて用いられるマスクインナーシートに関する。
【背景技術】
【０００２】
ウィルスからの病原菌予防や、花粉及び微小粒子状物質（ＰＭ２．５）などの吸引防止として、衛生マスクが用いられる。従来から様々な衛生マスクが提案されている。
【０００３】
例えば、特許文献１では、花粉はもとより、様々な大きさのウィルスや微小粒子状物質等の捕集が可能で、通気性に優れ、且つ、これらが経時的にも維持されるマスクとして、使用者の顔面の少なくとも一部を覆うためのマスク本体と、前記マスク本体の両側に設けられた耳掛け部とを備えたマスクであって、前記マスク本体が、帯電加工を施した不織布とナノファイバー不織布との積層体を有するマスクが提案されている。
【先行技術文献】
【特許文献】
【０００４】
【特許文献１】特開２０１８−１７２８０６号公報
【考案の概要】
【考案が解決しようとする課題】
【０００５】
しかしながら、上記の衛生マスクは使い捨て衛生マスクや布マスクであり、例えばウィルスが流行し衛生マスク不足が生じたとき、店頭では品薄状態となり、需要者は衛生マスクをスムーズに購入することができない。
【０００６】
また、そのような状況下においては、使い捨てマスクや布マスクを複数回使用せざるをえず、係る場合には衛生的に悪く、衛生マスク内を清潔に保つことができない。
【０００７】
そこで上記従来技術が有する問題に鑑み、使い捨てマスクや布マスクを複数回使用しても、衛生マスク内を清潔に保つことができるマスクインナーシートを提供することを目的とする。
【課題を解決するための手段】
【０００８】
本考案の一実施形態に係るマスクインナーシートは、衛生マスクの内側に配置されて用いられるマスクインナーシートであって、前記マスクインナーシートの主要部部分を構成する本体部と、前記衛生マスクに設けられている耳掛け部を挿通可能な切り込み部とを備え、前記切り込み部は、前記本体部の両端付近に設けられていることを特徴とする。
【０００９】
このようにすれば、使い捨てマスクや布マスクを複数回使用しても、衛生マスク内を清潔に保つことができる。
【００１０】
このとき、本考案の一態様では、前記マスクインナーシートの長手側の長さは、前記衛生マスクの長手側の長さより長くしてもよい。
【００１１】
このようにすれば、切り込み部から衛生マスクに設けられている耳掛け部を挿通しやすくなり使用に際し便利である。また、顔が衛生マスクに触れる面積は少なくなるので、使い捨てマスクや布マスクを複数回使用しても、衛生マスク内をより清潔に保つことができる。
【００１２】
このとき、本考案の一態様では、前記マスクインナーシートの大きさは、前記衛生マスクの大きさよりも大きくてもよい。
【００１３】
このようにすれば、顔が衛生マスクに触れる面積は無くなるので、使い捨てマスクや布マスクをさらに複数回使用しても、衛生マスク内をより清潔に保つことができる。
【００１４】
このとき、本考案の一態様では、前記切り込み部は、前記マスクインナーシートの短手と平行に設けられてもよい。
【００１５】
このようにすれば、切り込み部から衛生マスクに設けられている耳掛け部を挿通しやすくなり使用に際し便利である。
【００１６】
このとき、本考案の一態様では、前記切り込み部は、前記マスクインナーシートの長手と平行に設けられてもよい。
【００１７】
このようにすれば、衛生マスクの長手に耳掛け部が設けられているマスクに対応することができる。
【００１８】
このとき、本考案の一態様では、前記マスクインナーシートの長手と平行に、折り目によって形成されるプリーツが設けられてもよい。
【００１９】
このようにすれば、マスクインナーシートを柔軟にし、立体型マスクに対応させることができる。
【００２０】
このとき、本考案の一態様では、前記長手側の辺又は前記切り込み部にボックスプリーツが設けられてもよい。
【００２１】
このようにすれば、マスクインナーシートを柔軟にし、立体型マスクに対応させることができる。
【００２２】
このとき、本考案の一態様では、前記切り込み部は、３以上設けられてもよい。
【００２３】
このようにすれば、男性用、女性用、子供用の衛生マスクのように様々な大きさの衛生マスクに対応できる。
【考案の効果】
【００２４】
本考案によれば、使い捨てマスクや布マスクを複数回使用しても、衛生マスク内を清潔に保つことができるマスクインナーシートを提供することができる。また、ファンデーションや口紅が衛生マスクに直接付着することを防止できる。よって、１枚の衛生マスクをより多く使用することができ、衛生マスクの長寿命化が可能となる。さらに、切り込み部が設けられているので、衛生マスクとのずれを防止することができる。
【図面の簡単な説明】
【００２５】
【図１】図１は、衛生マスクの内側（顔面に触れる側）の正面図であり、図１（Ａ）は本考案の一実施形態に係るマスクインナーシートを衛生マスクに取り付ける前の図であり、図１（Ｂ）は本考案の一実施形態に係るマスクインナーシートを衛生マスクに取り付けた後の図である。
【図２】図２は、本考案の一実施形態に係るマスクインナーシートの大きさを説明する正面図であり、図２（Ａ）はマスクインナーシートの長手側の長さが衛生マスクの長手側の長さより長いことを示す図であり、図２（Ｂ）はマスクインナーシートの大きさが衛生マスクの大きさよりも大きいことを示す図である。
【図３】図３は、本考案の一実施形態に係るマスクインナーシートにプリーツが設けられていることを示す図である。
【図４】図４は、本考案の一実施形態に係るマスクインナーシートに備える切り込み部が４つ設けられている図であり、図４（Ａ）は衛生マスクが大きい場合の態様の図で、図４（Ｂ）は衛生マスクが小さい場合の態様の図である。
【図５】図５は、本考案の一実施形態に係るマスクインナーシートに備える切り込み部がマスクインナーシートの長手と平行に設けられている図であり、図５（Ａ）は本考案の一実施形態に係るマスクインナーシートを衛生マスクに取り付ける前の図であり、図５（Ｂ）は本考案の一実施形態に係るマスクインナーシートを衛生マスクに取り付けた後の図である。
【考案を実施するための形態】
【００２６】
以下に説明する本実施形態は、実用新案登録請求の範囲に記載された本考案の内容を不当に限定するものではなく、本考案の要旨を逸脱しない範囲で変更が可能である。また、本実施形態で説明される構成の全てが本考案の解決手段として必須であるとは限らない。本考案の一実施形態に係るマスクインナーシートについて、図を用いながら下記に説明する。
【００２７】
本考案の一実施形態に係るマスクインナーシートは、衛生マスクの内側に配置されて用いられる。衛生マスクを複数回使用すると衛生マスク内が汚れ、清潔に保つことができない。そこで、本考案の一実施形態に係るマスクインナーシートを用い、マスクインナーシートのみを交換することで、衛生マスクが品薄状態になっても、同じ衛生マスクの内側を清潔に保つことができる。なお、本考案の一実施形態に係るマスクインナーシートは、使い捨てマスクや布マスクの両方にも対応可能である。
【００２８】
また、衛生マスクの他にマスクインナーシートを重ねて使用することで、ウィルスや花粉や微小粒子状物質（ＰＭ２．５）のフィルタリング効果が向上できる。つまり、本考案の一実施形態に係るマスクインナーシートを用いれば、ウィルスからの病原菌予防や、花粉及び微小粒子状物質（ＰＭ２．５）などの吸引防止の効果が向上する。以下に本考案の一実施形態に係るマスクインナーシートについて詳述する。
【００２９】
図１（Ａ）（Ｂ）に示すように、本考案の一実施形態に係るマスクインナーシート１００は、マスクインナーシート１００の主要部分を構成する本体部３０と、衛生マスク１０に設けられている耳掛け部２０を挿通可能な切り込み部４０を備える。本体部３０は、マスクインナーシート１００の主要部分を構成し、不繊布が好ましい。本体部３０の厚みは適宜変更可能である。切り込み部４０は、耳掛け部２０を挿通できるよう本体部３０に孔が空いている。また、マスクの耳掛け部２０を挿通しやすいよう、切り込み部４０は、マスクインナーシート１００の両端付近に設けられている。本考案の一実施形態に係るマスクインナーシート１００は切り込み部４０が設けられているので、使用に際し、衛生マスク１０とマスクインナーシート１００とのずれを防止することができる。
【００３０】
図１（Ａ）は本考案の一実施形態に係るマスクインナーシート１００を衛生マスク１０に取り付ける前の図である。図１（Ａ）に示すように、耳掛け部２０をマスクインナーシート１００の切り込み部４０の奥から手前に挿通させ、衛生マスク１０にマスクインナーシート１００を取り付ける。衛生マスク１０にマスクインナーシート１００を取り付けると図１（Ｂ）のようになる。衛生マスク１０にマスクインナーシート１００を取り付けた状態で使用する。
【００３１】
切り込み部４０の長さは、衛生マスク１０の大きさや衛生マスク１０に設けられている耳掛け部２０の位置によって適宜調整することができる。また、切り込み部４０の幅も、衛生マスク１０の大きさや耳掛け部２０の大きさや太さによって適宜調整することができる。なお、耳掛け部２０は、ゴムや不繊布などの紐等が挙げられる。
【００３２】
図１（Ａ）（Ｂ）に示すように、切り込み部４０は、マスクインナーシート１００の短手（図１でいうと縦方向）と平行に設けられていることが好ましい。このようにすれば、切り込み部４０から衛生マスク１０に設けられている耳掛け部２０を挿通しやすくなり使用に際し便利である。また、マスクインナーシート１００と顔への密着度が高まり、外部へウィルスを放出することを防ぐことができる。
【００３３】
図２（Ａ）に示すように、マスクインナーシートの長手側の長さＬ１は、衛生マスクの長手側の長さｌ１より長いことが好ましい。つまり、「マスクインナーシートの長手側の長さＬ１」＞「衛生マスクの長手側の長さｌ１」となる。このようにすれば、切り込み部４０から衛生マスク１０に設けられている耳掛け部２０を挿通しやすくなり使用に際し便利である。また、顔が衛生マスク１０に触れる面積は少なくなるので、使い捨てマスクや布マスクを複数回使用しても、衛生マスク１０内をより清潔に保つことができる。
【００３４】
また、図２（Ａ）に示すように、マスクインナーシートの短手側の長さＬ２は、衛生マスクの短手側の長さｌ２より短いこととすることもできる。つまり、「マスクインナーシートの短手側の長さＬ２」＜「衛生マスクの短手側の長さｌ２」となる。
【００３５】
図２（Ｂ）に示すように、マスクインナーシート１００の大きさは、衛生マスク１０の大きさよりも大きいことが好ましい。このようにすれば、顔が衛生マスク１０に触れる面積は無くなるので、使い捨てマスクや布マスクをさらに複数回使用しても、衛生マスク１０内をより清潔に保つことができる。
【００３６】
衛生マスク１０は、口の形状に合わせて立体型に作られていることが多い。よって、立体型マスクに密着できるよう、マスクインナーシートが対応できることが好ましい。そこで、図３に示すように、マスクインナーシート１００の長手と平行に、折り目５０によって形成されるプリーツ６０（襞）が設けられる。このようにすることで、マスクインナーシート１００を立体型に変形することができ、衛生マスク１０とマスクインナーシート１００との密着性をより向上させることができる。
【００３７】
また、長手側の辺又は前記切り込み部にボックスプリーツが設けられていることが好ましい。このようにすることで、マスクインナーシート１００を立体型に変形することができ、衛生マスク１０とマスクインナーシート１００との密着性をより向上させることができる。
【００３８】
また、衛生マスク１０の大きさは様々である。よって、１つの大きさのマスクインナーシート１００で、より多くの大きさの衛生マスク１０に対応させることが好ましい。
【００３９】
様々な大きさの衛生マスクに対応させるべく、男性用や女性用、子供用の衛生マスク１０の大きさに合わせるために、本体部３０の大きさを適宜変更することが好ましい。例えば、本体部の大きさは、男性用や女性用の大きい衛生マスク１０に対応させる場合１８０〜２００ｍｍ×８５〜１０５ｍｍ、子供用などの小さい衛生マスク１０に対応させる場合１５０〜１７０ｍｍ×８０〜１００ｍｍとすることができる。
【００４０】
本体部３０の大きさを変更しなくとも以下の方法で対応可能である。すなわち、切り込み部４０は、３以上設けられていることが好ましい。図４は、本考案の一実施形態に係るマスクインナーシート１００に備える切り込み部４０が４つ設けられている図であり、図４（Ａ）は衛生マスク１０が大きい場合の態様で、図４（Ｂ）は衛生マスク１０が小さい場合の態様である。図４の切り込み部４０は、３以上の４つ設けられている。
【００４１】
男性用や女性用の大きい衛生マスク１０に対応させる場合は、図４（Ａ）に示すように、本体部３０のより両端側に近い箇所に設けられた切り込み部４０を使用すればよい。一方、子供用などの小さい衛生マスク１０に対応させる場合は、図４（Ｂ）に示すように、本体部３０のより両端側に設けられた切り込み部４０の内側の切り込み部４０を使用すればよい。  
【００４２】
なお、切り込み部４０は、本体部３０に３以上、図４のように４、又はそれ以上の５以上の複数でもよい。このように切り込み部４０を本体部３０に複数設けて、様々な大きさの衛生マスク１０に対応させる。
【００４３】
また、衛生マスク１０は、上述したように衛生マスク１０の短手に耳掛け部２０が設けられたマスクが多いが、図５（Ａ）に示すように、例えば工場等で使用されているような、衛生マスク１０の長手に耳掛け部２０が設けられているマスクもあり、それにマスクインナーシート１００を対応させるため、切り込み部４０は、マスクインナーシート１００の長手と平行に設けられてもよい。使用方法は、衛生マスクの短手に耳掛け部２０が設けられたマスクのときと同様である。このようにすれば、衛生マスク１０の長手に耳掛け部２０が設けられているマスクに対応することができる。上記のマスクインナーシート１００を衛生マスク１０に取り付けると図５（Ｂ）のようになる。よって、本考案の一実施形態に係るマスクインナーシート１００は、様々な衛生マスク１０に対応応可能である。
【００４４】
以上のように、本考案の一実施形態に係るマスクインナーシートによれば、使い捨てマスクや布マスクを複数回使用しても、衛生マスク１０内を清潔に保つことができるマスクインナーシートを提供することができる。また、ファンデーションや口紅が衛生マスクに直接付着することを防止できる。よって、１枚の衛生マスクをより多く使用することができ、衛生マスクの長寿命化が可能となる。さらに、切り込み部が設けられているので、衛生マスクとのずれを防止することができる。
【００４５】
なお、上記のように本考案の各実施形態について詳細に説明したが、本考案の新規事項及び効果から実体的に逸脱しない多くの変形が可能であることは、当業者には、容易に理解できるであろう。従って、このような変形例は、全て本考案の範囲に含まれるものとする。
【００４６】
例えば、明細書又は図面において、少なくとも一度、より広義又は同義な異なる用語と共に記載された用語は、明細書又は図面のいかなる箇所においても、その異なる用語に置き換えることができる。またマスクインナーシートの構成、動作も本考案の各実施形態及び各実施例で説明したものに限定されず、種々の変形実施が可能である。
【符号の説明】
【００４７】
１０  衛生マスク、２０  耳掛け部、３０  本体部、４０  切り込み部、５０  折り目、６０  プリーツ、Ｌ１  マスクインナーシートの長手側の長さ、ｌ１  衛生マスクの長手側の長さ、Ｌ２  マスクインナーシートの短手側の長さ、ｌ２  衛生マスクの短手側の長さ、
１００  マスクインナーシート
【図１】
0003227411.tif 000003
【図２】
0003227411.tif 000004
【図３】
0003227411.tif 000005
【図４】
0003227411.tif 000006
【図５】
0003227411.tif 000007
【手続補正書】
【提出日】令和2年5月26日(2020.5.26)
【手続補正１】
【補正対象書類名】実用新案登録請求の範囲
【補正対象項目名】全文
【補正方法】変更
【補正の内容】
【実用新案登録請求の範囲】
【請求項１】
衛生マスクの内側に配置されて用いられるマスクインナーシートであって、
前記マスクインナーシートの主要部分を構成する本体部と、
前記衛生マスクに設けられている耳掛け部を挿通可能な切り込み部とを備え、
前記切り込み部は、前記本体部の両端付近に設けられていることを特徴とするマスクインナーシート。
【請求項２】
前記マスクインナーシートの長手側の長さは、前記衛生マスクの長手側の長さより長いことを特徴とする請求項１に記載のマスクインナーシート。
【請求項３】
前記マスクインナーシートの大きさは、前記衛生マスクの大きさよりも大きいことを特徴とする請求項１又は２に記載のマスクインナーシート。
【請求項４】
前記切り込み部は、前記マスクインナーシートの短手と平行に設けられていることを特徴とする請求項１〜３のいずれか１項に記載のマスクインナーシート。
【請求項５】
前記切り込み部は、前記マスクインナーシートの長手と平行に設けられていることを特徴とする請求項１〜３のいずれか１項に記載のマスクインナーシート。
【請求項６】
前記マスクインナーシートの長手と平行に、折り目によって形成されるプリーツが設けられていることを特徴とする請求項１〜５のいずれか１項に記載のマスクインナーシート。
【請求項７】
前記長手側の辺又は前記切り込み部にボックスプリーツが設けられていることを特徴とする請求項２に記載のマスクインナーシート。
【請求項８】
前記切り込み部は、３以上設けられていることを特徴とする請求項１〜７のいずれか１項に記載のマスクインナーシート。